(57)【要約】【課題】エレベータのロープ支持装置の軽量化を図るとともに、製造工程における材料の歩留まりを向上させることができるエレベータのロープ支持装置を得る。【解決手段】昇降路内に配置されたガイドレール２に沿って延び、ガイドレール２の背面に取り付けられる支持部材１１と、支持部材１１に嵌合固定されており、かつガイドレール２に沿って昇降する昇降体を昇降路内で吊り下げているロープ１を支持するロープ支持腕１２とを備え、支持部材１１は、所定の断面係数を有するように、長さ方向に溝部１１ａが設けられているとともに、互いに対向する側部には、ロープ支持腕１２を嵌合固定するための貫通孔１５、１６が設けられている。【選択図】図１
2011006223.tif 000002
【特許請求の範囲】
【請求項１】
昇降路内に配置されたガイドレールに沿って延び、前記ガイドレールの背面に取り付けられる支持部材と、
前記支持部材に嵌合固定されており、かつ前記ガイドレールに沿って昇降する昇降体を前記昇降路内で吊り下げているロープを支持するロープ支持腕と
を備え、
前記支持部材は、所定の断面係数を有するように、長さ方向に溝部が設けられているとともに、互いに対向する側部には、前記ロープ支持腕を嵌合固定するための貫通孔が設けられていることを特徴とするエレベータのロープ支持装置。
【請求項２】
請求項１に記載のエレベータのロープ支持装置において、
前記支持部材の外側面には、前記ロープ支持腕が前記貫通孔を通して前記支持部材に嵌合固定された状態で前記ロープの荷重を受けた際に、前記ロープ支持腕に作用する曲げモーメントを支持するストッパーが設けられていることを特徴とするエレベータのロープ支持装置。
【請求項３】
請求項１に記載のエレベータのロープ支持装置において、
前記ロープ支持腕の下部には、前記ロープ支持腕が前記貫通孔を通して前記支持部材に嵌合固定された状態で前記ロープの荷重を受けた際に、前記ロープ支持腕に作用する曲げモーメントを支持する係合部が設けられていることを特徴とするエレベータのロープ支持装置。
【請求項４】
請求項１ないし３のいずれか１項に記載のエレベータのロープ支持装置において、
嵌合固定された前記支持部材及び前記ロープ支持腕は、互いに対向する位置に設けられた穴を介して位置決めボルトにより螺合されることで位置決めされることを特徴とするエレベータのロープ支持装置。
【発明の詳細な説明】
【技術分野】
【０００１】
本発明は、かご又は釣合おもりを昇降路内に吊り下げるためのロープを支持するエレベータのロープ支持装置に関するものである。
【背景技術】
【０００２】
従来、ロープの吊り位置がガイドレールから離れた位置にある場合において、ロープの荷重によって作用する曲げモーメントを支持するために、１枚の厚板によって形成されたエレベータのロープ支持装置が提案されている（例えば、特許文献１参照）。
【０００３】
図８は、従来のエレベータのロープ支持装置の一例を示す側面図、図９は、図８のエレベータのロープ支持装置の平面図である。なお、図８、９においては、かご用のガイドレールを例に挙げて説明するが、これに限定されず、釣合おもり用のガイドレールであってもよい。
【０００４】
昇降路内には、かご及び釣合おもりが複数のロープ１によって吊り下げられている。これら複数のロープ１は、かごの昇降を案内するガイドレール２の背面に接続されたロープ支持装置３により支持されている。
【０００５】
ロープ支持装置３は、１枚の厚板によって形成されている。また、ロープ支持装置３は、支持部材３ａと、ロープ支持腕３ｂとを有している。支持部材３ａは、ガイドレール２の高さ方向に沿って延びている。そして、この支持部材３ａは、複数の固定用ボルト４及び固定用ナット５によってガイドレール２の背面に固定されている。ここで、各固定用ボルト４及び固定用ナット５は、支持部材３ａの長手方向に互いに間隔をおいて配置されている。
【０００６】
一方、ロープ支持腕３ｂは、支持部材３ａからロープ１側へ突出されており、複数のロープ１は、このロープ支持腕３ｂの上端部に、平板状のロープ取付台６を介して取り付けられている。従って、図８に示すように、各ロープ１に作用する張力の作用中心は、ガイドレール２の中心軸から偏芯することとなる。このため、偏芯荷重による曲げモーメントは、ガイドレール２と、支持部材３ａとを固定している固定用ボルト４及び固定用ナット５に作用する。
【０００７】
ロープ荷重によって作用する曲げモーメントが大きい場合には、固定用ボルト４及び固定用ナット５間のピッチを広げる必要がある。これに伴い、支持部材３ａも長手方向に延長させる必要がある。
【０００８】
ロープ支持腕３ｂの上面には、平板状のロープ取付台６が固定されている。そして、ロープ取付台６には、各ロープ１が通される複数のロープ通し穴（図示せず）が設けられている。また、ロープ取付台６の上部には、ロープ固定装置７が設けられている。
【０００９】
ロープ固定装置７は、複数のばね座８及びロープ連結具９を備えている。各ばね座８は、ロープ取付台６の上面と、ロープ連結具９との間に配置されている。また、各ロープ連結具９には、ロープ取付台６及びばね座８を通過した各ロープ１の端部が固定されている。
【００１０】
このように、各ロープ１の荷重によってロープ支持腕３ｂに作用する曲げモーメントは、ガイドレール２の背面に取り付けられる支持部材３ａによって支持されている。従って、支持部材３ａとロープ支持腕３ｂからなるロープ支持装置３は、偏芯荷重による曲げモーメントを支持できるように、所定の断面係数を有する厚みをもった１枚の厚板によって形成されることとなる。
【先行技術文献】
【特許文献】
【００１１】
【特許文献１】特開２００４−１６１４４９号公報
【発明の概要】
【発明が解決しようとする課題】
【００１２】
しかしながら、従来技術には、以下のような課題がある。
上述したように、従来技術では、ロープの荷重によって作用する曲げモーメントを支持するために、１枚の厚板でエレベータのロープ支持装置が形成されている。このため、エレベータのロープ支持装置の軽量化を図ることができないといった問題点があった。
【００１３】
また、従来技術では、エレベータのロープ支持装置の製造工程において、支持部材３ａ及びロープ支持腕３ｂからなるロープ支持装置３を、材料から一体に切り出す必要がある。このため、エレベータのロープ支持装置の製造工程においては、材料の捨てる部分が多くなり、材料の歩留まりが悪化するといった問題点があった。
【００１４】
本発明は、上記のような課題を解決するためになされたものであり、エレベータのロープ支持装置の軽量化を図るとともに、製造工程における材料の歩留まりを向上させることができるエレベータのロープ支持装置を得ることを目的とする。
【課題を解決するための手段】
【００１５】
本発明に係るエレベータのロープ支持装置は、昇降路内に配置されたガイドレールに沿って延び、ガイドレールの背面に取り付けられる支持部材と、支持部材に嵌合固定されており、かつガイドレールに沿って昇降する昇降体を昇降路内で吊り下げているロープを支持するロープ支持腕とを備え、支持部材は、所定の断面係数を有するように、長さ方向に溝部が設けられているとともに、互いに対向する側部には、ロープ支持腕を嵌合固定するための貫通孔が設けられているものである。
【発明の効果】
【００１６】
本発明に係るエレベータのロープ支持装置よれば、別々の部品として形成された支持部材とロープ支持腕とを組み合わせてロープ支持装置を構成するとともに、支持部材の長さ方向に溝部を設けることにより、所定の断面係数を得た上で軽量化を図ることができることにより、エレベータのロープ支持装置の軽量化を図るとともに、製造工程における材料の歩留まりを向上させることができるエレベータのロープ支持装置を得ることができる。
【図面の簡単な説明】
【００１７】
【図１】本発明の実施の形態１に係るエレベータのロープ支持装置を示す側面図である。
【図２】図１のエレベータのロープ支持装置を示す平面図である。
【図３】図１のエレベータのロープ支持装置を示す分解図である。
【図４】図２のエレベータのロープ支持装置の要部を示す平面図である。
【図５】本発明の実施の形態２に係るエレベータのロープ支持装置を示す側面図である。
【図６】図５のエレベータのロープ支持装置を示す平面図である。
【図７】図５のエレベータのロープ支持装置を示す分解図である。
【図８】従来のエレベータのロープ支持装置の一例を示す側面図である。
【図９】図８のエレベータのロープ支持装置を示す平面図である。
【発明を実施するための形態】
【００１８】
以下、本発明を実施するための形態について、図面を参照して説明する。
【００１９】
実施の形態１．
図１は、本発明の実施の形態１に係るエレベータのロープ支持装置を示す側面図、図２は、図１のエレベータのロープ支持装置を示す平面図、図３は、図１のエレベータのロープ支持装置を示す分解図、図４は、図２のエレベータのロープ支持装置の要部を示す拡大図である。従来技術では、支持部材３ａとロープ支持腕３ｂからなるロープ支持装置３は、所定の断面係数を有する厚みをもった１枚の厚板で構成されており、支持部材３ａ自体も板状に形成されていた。これに対して、本実施の形態１では、支持部材とロープ支持腕を個別部品として形成するとともに、支持部材が、所定の断面係数を維持しつつ、従来よりも薄板で断面コ字形に形成されていることを技術的特徴としている。
【００２０】
なお、図１、２におけるエレベータの構成（ロープ１、ガイドレール２、固定用ボルト４、固定用ナット５、ロープ取付台６及びロープ固定装置７）は、先の図８、９において説明した従来のエレベータの構成と同様であるため、詳細な説明は省略する。
【００２１】
昇降路内に配置されたガイドレール２の背面には、昇降路内に各ロープ１を支持するためのロープ支持装置１０が設けられている。ロープ支持装置１０は、支持部材１１、ロープ支持腕１２及びストッパー１３、１４を備えている。
【００２２】
支持部材１１は、ガイドレール２に沿って延びており、複数の固定用ボルト４及び固定用ナット５によってガイドレール２の背面に固定されている。
【００２３】
厚板の板状のロープ支持腕１２の一方（各ロープ１の反対側）は、支持部材１１の長さ方向の中間部に取り付けられる。また、ロープ支持腕１２の他方（各ロープ１側）の上面には、ロープ固定装置７が設けられている。
【００２４】
支持部材１１には、支持部材１１の長さ方向に沿って、溝部１１ａが設けられている（図２、図４参照）。この例では、支持部材１１が断面コの字形に形成されることにより、溝部１１ａが形成されている。なお、このような溝部１１ａを有する支持部材１１としては、例えば、薄板の曲げ物や溝形鋼などが挙げられる。
【００２５】
溝部１１ａを有する支持部材１１の互いに対向する側部には、貫通孔１５、１６（切欠部）が設けられている（図３参照）。貫通孔１５、１６は、垂直断面四角状に形成されている。この例では、断面四角状のロープ支持腕１２が、隙間なく貫通孔１５、１６に嵌るように通される（図１参照）。
【００２６】
ここで、支持部材１１の断面係数は、支持部材１１の長さ方向に溝部１１ａが設けられることにより、各ロープ１の荷重によってロープ支持腕１２に作用する曲げモーメントを支持するために必要な値となっている。すなわち、本実施の形態１における支持部材１１は、溝部１１ａを設けることで、材料の厚みを薄くした上で、先の図８、９で説明した従来技術の支持部材３ａの断面係数と同等の断面係数を得ている。
【００２７】
ストッパー１３、１４は、支持部材１１の一対の外側面に溶接固定されている。ストッパー１３は、ロープ支持腕１２が貫通孔１５、１６に挿入された後に荷重を受けた状態で、貫通孔１５の近傍のロープ支持腕１２の上面が接する位置に配置されている。また、ストッパー１４は、ロープ支持腕１２が貫通孔１５、１６に挿入された後に荷重を受けた状態で、貫通孔１６の近傍のロープ支持腕１２の底面が接する位置に配置されている（図３参照）。
【００２８】
従って、ストッパー１３、１４は、支持部材１１とともに、各ロープ１の荷重によってロープ支持腕１２に作用する曲げモーメントを支持することができる。
【００２９】
支持部材１１の高さ方向の中間部には、ねじ孔１７が設けられている。一方、ロープ支持腕１２には、貫通孔１５、１６に挿入された状態でねじ孔１７の対向する位置に、位置決めボルト通し孔１８が設けられている。
【００３０】
ロープ支持腕１２を、貫通孔１５、１６を介して支持部材１１に嵌合した後、位置決めボルト通し孔１８に通された位置決めボルト１９をねじ孔１７に締め付けることにより、ロープ支持腕１２と支持部材１１とを容易に組み付けることができる（図４参照）。
【００３１】
以上のように、実施の形態１によれば、支持部材とロープ支持腕を個別部品として形成するとともに、支持部材の長さ方向に溝部を設けることにより、支持部材の断面係数をロープの荷重によってロープ支持腕に作用する曲げモーメントを支持するために必要な値とすることができる。従って、支持部材を厚板で形成する必要がなくなるので、エレベータのロープ支持装置の軽量化を図ることができる。さらに、支持部材とロープ支持腕とを一体に材料から切り出す必要がなくなるので、製造工程における材料の歩留まりを向上させることができる。
【００３２】
さらに、エレベータのロープ支持装置は、支持部材とロープ支持腕が個別部材として構成されているため、設置場所へコンパクトに梱包出荷することができる。
【００３３】
また、ストッパーを設けることで、別部品として支持部材に嵌合されたロープ支持腕に作用する曲げモーメントを支持することができ、強度的な補強を図ることができる。
【００３４】
実施の形態２．
先の実施の形態１では、別部品で構成されたロープ支持腕１２に作用する曲げモーメントを支持するために、支持部材１１側にストッパーを設ける構成について説明した。これに対して、本実施の形態２では、別部品で構成されたロープ支持腕１２に作用する曲げモーメントを支持するための構造を、ロープ支持腕１２自体に設ける場合について説明する。
【００３５】
図５は、本発明の実施の形態２に係るエレベータのロープ支持装置を示す側面図、図６は、図５のエレベータのロープ支持装置を示す平面図、図７は、図５のエレベータのロープ支持装置を示す分解図である。
【００３６】
先の実施の形態１における図１のエレベータのロープ支持装置と比較すると、本実施の形態２における図５のエレベータのロープ支持装置は、ロープ支持腕１２に作用する曲げモーメントを支持する構造として、支持部材１１の一対の外側面にストッパー１３、１４を設ける代わりに、ロープ支持腕１２の下部に段差１２ａ、１２ｂを形成する点が異なっている。なお、他の構成は、先の実施の形態１と同様であり、説明を省略する。
【００３７】
本実施の形態２における貫通孔１５、１６は、互いの長さが異なっている（図７参照）。貫通孔１５の長さは、貫通孔１６の長さに比べて短く形成されている。
【００３８】
ロープ支持腕１２の下部には、段差（係合部に相当）１２ａ、１２ｂが形成されている。段差１２ａは、ロープ支持腕１２が貫通孔１５、１６に挿入された後に荷重を受けた状態で、溝部１１ａの一対の内側面（貫通孔１５側の内側面）に当接される。同様に、段差１２ｂは、ロープ支持腕１２が貫通孔１５、１６に挿入された後に荷重を受けた状態で、支持部材１１の一対の外側面（各ロープ１側の外側面）に当接される（図５参照）。
【００３９】
従って、ロープ支持腕１２に設けられた段差１２ａ、１２ｂは、支持部材１１とともに、各ロープ１の荷重によってロープ支持腕１２に作用する曲げモーメントを支持することができる。
【００４０】
以上のように、実施の形態２によれば、ロープ支持腕に段差構造を設けることで、先の実施の形態１におけるストッパーと同様に、別部品として支持部材に嵌合されたロープ支持腕に作用する曲げモーメントを支持することができ、強度的な補強を図ることができる。
【００４１】
なお、上述の実施の形態１、２では、複数の固定用ボルト４及び固定用ナット５を用いてロープ支持腕１２を支持部材１１の長さ方向の中間部に固定する場合について説明した。しかしながら、本発明は、このような構成に限定されるものではない。複数の固定用ボルト４及び固定用ナット５を用いずに、ロープ支持腕１２を支持部材１１の長さ方向の中間部に溶接固定してもよい。
【符号の説明】
【００４２】
１  ロープ、２  ガイドレール、１０  ロープ支持装置、１１  支持部材、１１ａ  溝部、１２  ロープ支持腕、１２ａ、１２ｂ  段差（係合部）、１３、１４  ストッパー、１５、１６  貫通孔。
【図１】
2011006223.tif 000003
【図２】
2011006223.tif 000004
【図３】
2011006223.tif 000005
【図４】
2011006223.tif 000006
【図５】
2011006223.tif 000007
【図６】
2011006223.tif 000008
【図７】
2011006223.tif 000009
【図８】
2011006223.tif 000010
【図９】
2011006223.tif 000011